(57)【要約】【課題】ファッション性に優れたマークを有するゴルフボールの提供。【解決手段】ゴルフボールのマークは、多数の網点３６を有している。それぞれの網点３６は、ボール本体の表面にインクが付着することで形成されている。従って網点３６には、インクの色目が反映されている。マークのうち、網点３６以外の部分は、ブランク３８である。ブランク３８には、インクは付着していない。マークは、網点３６の密度が大きいゾーンと、網点３６の密度が小さいゾーンとを有する。網点３６の密度が大きいゾーンの色目には、インクの色目が強く反映される。網点３６の密度が小さいゾーンの色目には、ボール本体の色目が強く反映される。【選択図】図３
2018038575.tif 000002
【特許請求の範囲】
【請求項１】
略球状の本体と、この本体の表面に存在するマークとを備えており、
上記マークが、インクが付着した複数の網点を有しており、
上記マークが、上記網点の密度が大きいゾーンと、上記網点の密度が小さいゾーンとを有するゴルフボール。
【請求項２】
上記網点の密度が大きいゾーンにおけるこの密度が２０％以上１００％以下であり、上記網点の密度が小さいゾーンにおけるこの密度が８０％未満である請求項１に記載のゴルフボール。
【請求項３】
上記網点の密度が大きいゾーンにおけるこの密度と、上記網点の密度が小さいゾーンにおけるこの密度との差が、５％以上である請求項２に記載のゴルフボール。
【請求項４】
上記網点の密度が大きいゾーンのインクが、上記網点の密度が小さいゾーンのインクと同じである請求項１から３のいずれかに記載のゴルフボール。
【請求項５】
上記マークが、上記網点の密度が徐々に変化するグラデーションを有する請求項１に記載のゴルフボール。
【請求項６】
上記マークの線数が１００ＬＰＩ以上である請求項１から５のいずれかに記載のゴルフボール。
【請求項７】
版にインクを供給するステップ、
上記インクを版からパッドに転写するステップ、
及び
上記インクをパッドからゴルフボールの本体の表面に転写し、マークを形成するステップ
を有しており、
上記マークが、インクが付着した複数の網点を有しており、
上記マークが、上記網点の密度が大きいゾーンと、上記網点の密度が小さいゾーンとを有するゴルフボールの製造方法。
【請求項８】
上記網点の密度が大きいゾーンにおけるこの密度が２０％以上１００％以下であり、上記網点の密度が小さいゾーンにおけるこの密度が８０％未満である請求項７に記載の製造方法。
【請求項９】
上記網点の密度が大きいゾーンにおけるこの密度と、上記網点の密度が小さいゾーンにおけるこの密度との差が、５％以上である請求項８に記載の製造方法。
【請求項１０】
上記網点の密度が大きいゾーンのインクが、上記網点の密度が小さいゾーンのインクと同じである請求項７から９のいずれかに記載の製造方法。
【請求項１１】
上記マークが、上記網点の密度が徐々に変化するグラデーションを有する請求項７に記載の製造方法。
【請求項１２】
上記マークの線数が１００ＬＰＩ以上である請求項７から１１のいずれかに記載の製造方法。
【発明の詳細な説明】
【技術分野】
【０００１】
本発明は、ゴルフボールと、このゴルフボールの製造方法とに関する。詳細には、本発明は、ゴルフボールのマークの改良に関する。
【背景技術】
【０００２】
ゴルフボールメーカーは、ボール本体の表面にマークを印刷して、ゴルフボールを出荷する。マークには、文字からなるもの、図形からなるもの、文字と図形が組み合わされてなるもの等がある。典型的には、そのゴルフボールの商標が印刷される。商標が表されたマークは、メインマークと称されている。メインマークを手がかりとして、ユーザーはゴルフボールの品種を特定する。
【０００３】
ゴルフボールにはまた、ユーザーに応じたマークが印刷されることもある。このマークは、オウンネームマークと称されている。オウンネームマークの具体例として、ユーザーの氏名、会社名、社章及びキャッチフレーズが挙げられる。オウンネームにより、プレーヤーは、ラウンド中に自らのゴルフボールを認識できる。オウンネームは、誤球を防止しうる。
【０００４】
古くは、マークの印刷に、刻印方式が採用されていた。刻印方式では、刻印とカラーフィルムとが用いられる。この方式では、ボール本体と刻印との間にカラーフィルムが挟まれることで、カラーフィルムの顔料が本体に転写される。この方式では、細いラインや小さな点の印刷は不可能である。しかもこの方式では、ディンプルの底への印刷に困難を伴う。近年は、刻印方式による印刷はほとんど行われていない。
【０００５】
マークの印刷に転写フィルム方式が用いられている。この方式では、凹版印刷又はスクリーン印刷によって得られた転写フィルムが用いられる。この転写フィルムに印刷されたマークが、ボールへと転写される。転写フィルムの一例が、特開平８−１５５０５２号公報に開示されている。転写フィルムは、高価である。さらに転写フィルム方式では、サイズの大きなマークの印刷は不可能である。
【０００６】
特開２００６−７５２５３公報には、インクジェット方式によるゴルフボールマークの印刷方法が開示されている。この方式では、インクジェットプリンタによってマークが印刷される。この方式では、採用されうるマークの自由度が高い。しかし、この方式では、インクへの制約が大きい。この方式で印刷されたマークは、ゴルフボール本体との密着に劣る。
【０００７】
特開２００２−３６２００１公報には、パッド方式によるゴルフボールマークの印刷方法が開示されている。この方式では、版からパッドにインクが転写され、このインクがパッドからボール本体に転写される。この方式では、採用されうるマークの自由度及び耐久性が高い。
【先行技術文献】
【特許文献】
【０００８】
【特許文献１】特開平８−１５５０５２号公報
【特許文献２】特開２００６−７５２５３公報
【特許文献３】特開２００２−３６２００１公報
【発明の概要】
【発明が解決しようとする課題】
【０００９】
近年、ゴルフボールのマークにファッション性が求められている。特開２００２−３６２００１公報に開示された方法では、ファッション性の向上が図られているが、その効果は十分ではない。
【００１０】
本発明の目的は、ファッション性に優れたマークを有するゴルフボールの提供にある。
【課題を解決するための手段】
【００１１】
本発明に係るゴルフボールは、略球状の本体と、この本体の表面に存在するマークとを備える。このマークは、インクが付着した複数の網点を有する。このマークは、網点の密度が大きいゾーンと、網点の密度が小さいゾーンとを有する。
【００１２】
好ましくは、網点の密度が大きいゾーンにおけるこの密度は２０％以上１００％以下であり、網点の密度が小さいゾーンにおけるこの密度は８０％未満である。好ましくは、網点の密度が大きいゾーンにおけるこの密度と、網点の密度が小さいゾーンにおけるこの密度との差は、５％以上である。
【００１３】
好ましくは、網点の密度が大きいゾーンのインクは、網点の密度が小さいゾーンのインクと同じである。
【００１４】
好ましくは、マークは、網点の密度が徐々に変化するグラデーションを有する。
【００１５】
好ましくは、マークの線数は、１００ＬＰＩ以上である。
【００１６】
本発明に係るゴルフボールの製造方法は、
版にインクを供給するステップ、
このインクを版からパッドに転写するステップ、
及び
このインクをパッドからゴルフボールの本体の表面に転写し、マークを形成するステップ
を有する。このマークは、インクが付着した複数の網点を有する。このマークは、網点の密度が大きいゾーンと、網点の密度が小さいゾーンとを有する。
【発明の効果】
【００１７】
本発明に係るゴルフボールは、ファッション性に優れたマークを有する。このゴルフボールは、プレーヤーに好まれる。
【図面の簡単な説明】
【００１８】
【図１】図１は、本発明の一実施形態に係るゴルフボールが示された断面図である。
【図２】図２は、図１のゴルフボールの一部が示された拡大図である。
【図３】図３は、図２のマークの一部が示された拡大図である。
【図４】図４は、図２のマークの他の部分が示された拡大図である。
【図５】図５は、図２のマークの印刷に用いられる凹版の一部が示された断面図である。
【図６】図６は、本発明の他の実施形態に係るゴルフボールの一部が示された正面図である。
【図７】図７（ａ）は図６のマークの第一ゾーンが示された拡大図であり、図７（ｂ）は図６のマークの第二ゾーンが示された拡大図であり、図７（ｃ）は図６のマークの第三ゾーンが示された拡大図であり、図７（ｄ）は図６のマークの第四ゾーンが示された拡大図である。
【図８】図８は、本発明のさらに他の実施形態に係るゴルフボールの一部が示された正面図である。
【発明を実施するための形態】
【００１９】
以下、適宜図面が参照されつつ、好ましい実施形態に基づいて本発明が詳細に説明される。
【００２０】
図１に示されたゴルフボール２は、本体４と、この本体４の外側に位置するマーク６と、この本体４の外側に位置するペイント層８とを備えている。本体４は、球状のコア１０と、このコア１０の外側に位置する中間層１２と、この中間層１２の外側に位置するカバー１４とを有している。マーク６は、本体４の表面（すなわちカバー１４）に印刷されている。マーク６が、ペイント層８の外側に位置してもよい。このゴルフボール２はさらに、その表面に複数のディンプル１６を有している。ゴルフボール２の表面のうちディンプル１６以外の部分は、ランド１８である。ゴルフボール２が、コア１０と中間層１２との間に、他の層を備えてもよい。ゴルフボール２が、中間層１２とカバー１４との間に、他の層を備えてもよい。
【００２１】
このゴルフボール２の直径は、４０ｍｍ以上４５ｍｍ以下である。このゴルフボール２の質量は、４０ｇ以上５０ｇ以下である。コア１０は、ゴム組成物が架橋されることで形成されている。中間層１２は、樹脂組成物からなる。カバー１４は、他の樹脂組成物からなる。ゴルフボール２が、他の材料から成形されてもよい。
【００２２】
図２は、図１のゴルフボール２の一部が示された拡大図である。図２には、マークが示されている。このマーク６は、第一要素２０、第二要素２２、第三要素２４、第四要素２６、第五要素２８、第六要素３０、第七要素３２及び第八要素３４からなる。それぞれの要素の輪郭は、ハート形である。第四要素２６の一部は、第三要素２４と重なっている。第五要素２８の一部は、第三要素２４と重なっている。図２では、ディンプル１６の描画が省略されている。要素の輪郭形状が、ハート形以外であってもよい。ハート形以外の形状として、花柄、星形、クローバー、果物（サクランボ、リンゴ等）、矢尻、矢印、各種の記号等が例示される。要素同士の重なり方は、任意に設定されうる。要素同士が重ならなくてもよい。
【００２３】
図３は、マーク６の第六要素３０の一部が示された拡大図である。図３に示されるように、第六要素３０は、多数の網点３６を有している。それぞれの網点３６は、本体４の表面にインクが付着することで形成されている。従って網点３６には、インクの色目が反映されている。第六要素３０の輪郭のうち、網点３６以外の部分は、ブランク３８と称される。ブランク３８には、インクは付着していない。ブランク３８の色目は、本体４の色目とほぼ同じである。
【００２４】
それぞれの網点３６のサイズは、極めて小さい。ヒトの目は、それぞれの網点３６をブランク３８と見分けることができない。ヒトは、多数の網点３６の色目とブランク３８の色目とが混合された色目として、第六要素３０の色目を認識する。
【００２５】
例えば、ブランク３８の色目が白であり、網点３６の色目が黒であるとき、ヒトは、第六要素３０の色目を、白と黒との中間色と認識する。換言すれば、ヒトは第六要素３０の色目を、グレーと認識する。
【００２６】
例えば、ブランク３８の色目が白であり、網点３６の色目が赤であるとき、ヒトは、第六要素３０の色目を、白と赤との中間色と認識する。換言すれば、ヒトは第六要素３０の色目を、ピンクと認識する。
【００２７】
網点３６の密度は、ヒトが認識する第六要素３０の色目に大きく影響を与える。網点３６の密度が小さいとき、ヒトは、第六要素３０の色目を、ブランク３８の色目に近い中間色と認識する。網点３６の密度が大きいとき、ヒトは、第六要素３０の色目を、網点３６の色目に近い中間色と認識する。
【００２８】
例えば、ブランク３８の色目が白であり、網点３６の色目が黒である場合において、網点３６の密度が小さいとき、ヒトは、第六要素３０の色目を白に近いグレー、換言すれば明度の高いグレーと認識する。例えば、ブランク３８の色目が白であり、網点３６の色目が黒である場合において、網点３６の密度が大きいとき、ヒトは、第六要素３０の色目を黒に近いグレー、換言すれば明度の低いグレーと認識する。
【００２９】
例えば、ブランク３８の色目が白であり、網点３６の色目が赤である場合において、網点３６の密度が小さいとき、ヒトは、第六要素３０の色目を白に近いピンクと認識する。例えば、ブランク３８の色目が白であり、網点３６の色目が赤である場合において、網点３６の密度が大きいとき、ヒトは、第六要素３０の色目を赤に近いピンクと認識する。
【００３０】
網点３６の密度は、単位面積あたりに含まれる網点３６の合計面積の比率である。図２及び３に示された第六要素３０では、網点３６の密度は５０％であり、網点３６の色目は赤であり、ブランクの色目は白である。従って、第六要素３０の色目は、ピンクである。
【００３１】
網点３６の密度が大きく設定される手段として、
（１）個々の網点３６の面積を大きくすること
及び
（２）単位面積あたりの網点３６の数を多くすること
が挙げられる。
【００３２】
網点３６の密度が小さく設定される手段として、
（１）個々の網点３６の面積を小さくすること
及び
（２）単位面積あたりの網点３６の数を少なくすること
が挙げられる。
【００３３】
図４は、マーク６の第五要素２８の一部が示された拡大図である。図４に示されるように、第五要素２８には、全体的にインクが付着している。この第五要素２８は、ブランク３８を有さない。本発明では、第五要素２８のような状態の網点３６の密度は、「１００％」と称される。第五要素２８の色目は、インクの色目とほぼ同じである。インクの色目が赤なので、第五要素２８の色目はほぼ赤である。
【００３４】
網点３６の厚みは、１μｍ以上が好ましい。１μｍ以上の厚みを有する網点３６は、隠蔽性に優れる。従って、網点３６の色目に本体の色目が反映されにくい。この観点から、厚みは２μｍ以上がより好ましく、３μｍ以上が特に好ましい。厚みは、２０μｍ以下が好ましい。
【００３５】
このマーク６では、第五要素２８は網点の密度が大きいゾーンに相当し、第六要素３０は網点の密度が小さいゾーンに相当する。網点の密度が大きいゾーンにおけるこの密度は、２０％以上１００％以下が好ましい。網点の密度が小さいゾーンにおけるこの密度は、８０％未満が好ましい。両者の差は、５％以上が好ましく、１０％以上がより好ましく、２０％以上が特に好ましい。マーク６の面積に対する、網点の密度が小さいゾーンの面積の比率は、５％以上が好ましく、１０％以上がより好ましく、１５％以上が特に好ましい。
【００３６】
図５は、図２のマーク６の印刷に用いられる版４０の一部が示された断面図である。この版４０は、いわゆる凹版である。この版４０は、第一ゾーンＺ１及び第二ゾーンＺ２を有している。この版４０は、第一ゾーンＺ１に多数の小さな凹部４２を有しており、第二ゾーンＺ２に１つの大きな凹部４２を有している。版４０の上面のうち凹部４２以外の部分は、ランド４４である。
【００３７】
この版４０が用いられた印刷法では、まず版４０の上面にインクが供給される。インクは、基材樹脂、着色剤及び溶剤を含む組成物である。この実施形態では、インクの色目は、赤である。次にこのインクが、ドクターブレード等でスクィージーされる。スクィージーにより、ランド４４の上のインクが除去される。スクィージーにより、それぞれの凹部４２に、均一にインクが充填される。
【００３８】
次に、この版４０に向かってパッドが進行する。パッドの材質として、シリコーンゴム、ウレタンゴム及びゼラチンが例示される。パッドは、版４０の上面に押しつけられる。この押しつけにより、凹部４２のインクがパッドに移行する。次に、パッドが後退する。このパッドは移動し、ボールの本体４に向かって進行する。パッドは、本体４に押しつけられる。この押しつけにより、インクが本体４に移行する。パッドが後退した後、所定時間、インクが乾燥される。この本体４の上にクリアーペイントが塗装され、ゴルフボール２が完成する。この印刷方法は、パッド印刷と称される。
【００３９】
前述の通り、第一ゾーンＺ１は多数の小さな凹部４２を有する。この第一ゾーンＺ１により、第六要素３０が印刷される。この第六要素３０の網点３６の密度は、５０％である。この第六要素３０の色目は、ピンクである。
【００４０】
前述の通り、第二ゾーンＺ２は１つの大きな凹部４２を有する。この第二ゾーンＺ２により、第五要素２８が印刷される。この第五要素２８の網点３６の密度は、１００％である。この第五要素２８の色目は、赤である。
【００４１】
この印刷方法では、１種のインクで、１つの版４０で、かつ１サイクルのパッドの動作で、色目の異なる複数種の要素からなるマーク６が印刷されうる。この印刷方法は、効率に優れる。色目の異なる複数種の要素からなるマーク６は、ファッション性に優れる。
【００４２】
凹部４２の深さは、１μｍ以上が好ましい。１μｍ以上の深さを有する凹部４２により、十分な厚みを有する網点３６が形成されうる。この観点から、深さは２μｍ以上がより好ましく、３μｍ以上が特に好ましい。深さは、２０μｍ以下が好ましい。
【００４３】
マーク６の線数は、１００ＬＰＩ（Line Per Inch）以上が好ましい。線数が１００ＬＰＩ以上であるマーク６は、ファッション性に優れる。この観点から、線数は１３０ＬＰＩ以上が特に好ましい。線数は、３００ＬＰＩ以下が好ましい。
【００４４】
マーク６が、赤以外の色目のインクによって形成されてもよい。赤以外の色目として、黄、橙、緑、青、紫、黒、金、銀、ピンク等が例示される。ブランク３８が、白以外の色目であってもよい。白以外の色目として、黄、ピンク、橙、青、赤及び紫が例示される。ブランク３８が白以外の色目であるとき、色目が白であるインクによってマーク６が形成されてもよい。
【００４５】
図６は、本発明の他の実施形態に係るゴルフボールの一部が示された正面図である。図６には、マーク４６が示されている。図示されていないが、このゴルフボールは本体とペイント層とを有している。図６では、ディンプルの描画が省略されている。図６のマーク４６は、第一ゾーンＺ１、第二ゾーンＺ２、第三ゾーンＺ３及び第四ゾーンＺ４を有している。このマーク４６も、前述のパッド印刷法によって印刷されている。このマーク４６の印刷には、ダークブルーのインクが用いられている。本体の色目は、白である。
【００４６】
図７（ａ）は、第一ゾーンＺ１が示された拡大図である。この第一ゾーンＺ１は、網点を有していない。第一ゾーンＺ１の全体は、ブランク４８である。第一ゾーンＺ１の色目は、本体の色目とほぼ同じである。第一ゾーンＺ１の色目は、白である。
【００４７】
図７（ｂ）は、第二ゾーンＺ２が示された拡大図である。この第二ゾーンＺ２は、多数の網点５０を有している。それぞれの網点５０は、本体の表面にインクが付着することで形成されている。従って網点５０には、インクの色目が反映されている。第二ゾーンＺ２のうち網点５０以外の部分は、ブランク４８である。ブランク４８には、インクは付着していない。ブランク４８の色目は、本体の色目とほぼ同じである。ヒトは、多数の網点５０の色目とブランク４８の色目とが混合された色目として、第二ゾーンＺ２の色目を認識する。図７（ｂ）から明らかなように、多数の網点５０がブランク４８のマトリクス中に分散している。網点５０の合計面積は、ブランク４８の面積よりも小さい。換言すれば、網点５０の密度は小さい。網点５０の密度は、５０％未満である。人の目は、第二ゾーンＺ２の色目を、白に近いブルー、換言すれば水色（ライトブルー）と認識する。
【００４８】
図７（ｃ）は、第三ゾーンＺ３が示された拡大図である。この第三ゾーンＺ３は、多数の網点５０を有している。それぞれの網点５０は、本体の表面にインクが付着することで形成されている。従って網点５０には、インクの色目が反映されている。第三ゾーンＺ３のうち網点５０以外の部分は、ブランク４８と称される。ブランク４８には、インクは付着していない。ブランク４８の色目は、本体の色目とほぼ同じである。ヒトは、多数の網点５０の色目とブランク４８の色目とが混合された色目として、第三ゾーンＺ３の色目を認識する。図７（ｃ）から明らかなように、網点５０は隣接する網点５０とつながっている。このつながりにより、網点５０のマトリクスが形成されている。第三ゾーンＺ３では、網点５０のマトリクス中に多数のブランク４８が分散している。第三ゾーンＺ３では、網点５０の密度は大きい。網点５０の密度は、５０％を超えている。人の目は、第三ゾーンＺ３の色目を、青色（ブルー）と認識する。
【００４９】
図７（ｄ）は、第四ゾーンＺ４が示された拡大図である。この第四ゾーンＺ４には、全体的にインクが付着している。この第四ゾーンＺ４は、ブランク４８を有さない。第四ゾーンＺ４の網点５０の密度は、１００％である。第四ゾーンＺ４の色目は、インクの色目とほぼ同じである。インクの色目が濃青なので、第四ゾーンＺ４の色目は濃青（ダークブルー）である。
【００５０】
このマーク４６では、第一ゾーンＺ１から、第二ゾーンＺ２及び第三ゾーンＺ３を経て第四ゾーンＺ４に至るまで、網点５０の密度が徐々に大きくなる。このマーク４６では、第一ゾーンＺ１から、第二ゾーンＺ２及び第三ゾーンＺ３を経て第四ゾーンＺ４に至るまで、徐々に色目が濃くなる。換言すれば、このマークでは、白、ライトブルー、ブルー及びダークブルーの順に色目が変化する。このマーク４６では、１種のインクでグラデーションが形成されうる。このマーク４６は、ファッション性に極めて優れる。
【００５１】
このマーク４６の印刷には、多数の凹部を有する版が用いられる。凹部の面積密度が徐々に変化する版が用いられることで、図６及び７に示された、グラデーションを有するマーク４６が、容易に印刷されうる。
【００５２】
マーク４６の線数は、１００ＬＰＩ（Line Per Inch）以上が好ましい。線数が１００ＬＰＩ以上であるマーク４６は、ファッション性に優れる。この観点から、線数は１３０ＬＰＩ以上が特に好ましい。線数は、３００ＬＰＩ以下が好ましい。
【００５３】
マーク４６が、ダークブルー以外の色目のインクによって形成されてもよい。ダークブルー以外の色目として、黄、橙、緑、青、紫、黒、金、銀、ピンク等が例示される。ブランク４８が、白以外の色目であってもよい。白以外の色目として、黄、ピンク、橙、青、赤及び紫が例示される。ブランク４８が白以外の色目であるとき、色目が白であるインクによってマーク４６が形成されてもよい。
【００５４】
図８は、本発明のさらに他の実施形態に係るゴルフボールの一部が示された正面図である。図８には、マーク５２が示されている。図示されていないが、このゴルフボールは本体とペイント層とを有している。図８では、ディンプルの描画が省略されている。図８のマーク５２は、第一要素５４、第二要素５６及び第三要素５８を有している。このマーク５２も、前述のパッド印刷法によって印刷されている。このマーク５２の印刷には、赤のインクが用いられている。本体の色目は、白である。
【００５５】
第一要素５４は、多数の網点を有している。それぞれの網点は、本体の表面にインクが付着することで形成されている。従って網点には、インクの色目が反映されている。第一要素５４のうち網点以外の部分は、ブランクである。ブランクには、インクは付着していない。ブランクの色目は、本体の色目とほぼ同じである。ヒトは、多数の網点の色目とブランクの色目とが混合された色目として、第一要素５４の色目を認識する。第一要素５４の網点の密度は、４０％である。人の目は、第一要素５４の色目を、白に近いピンクと認識する。
【００５６】
第二要素５６は、多数の網点を有している。それぞれの網点は、本体の表面にインクが付着することで形成されている。従って網点には、インクの色目が反映されている。第二要素５６のうち網点以外の部分は、ブランクである。ブランクには、インクは付着していない。ブランクの色目は、本体の色目とほぼ同じである。ヒトは、多数の網点の色目とブランクの色目とが混合された色目として、第二要素５６の色目を認識する。第二要素５６の網点の密度は、５０％である。人の目は、第二要素５６の色目を、第一要素５４の色目よりも濃いピンクと認識する。
【００５７】
第三要素５８は、多数の網点を有している。それぞれの網点は、本体の表面にインクが付着することで形成されている。従って網点には、インクの色目が反映されている。第三要素５８のうち網点以外の部分は、ブランクである。ブランクには、インクは付着していない。ブランクの色目は、本体の色目とほぼ同じである。ヒトは、多数の網点の色目とブランクの色目とが混合された色目として、第三要素５８の色目を認識する。第三要素５８の網点の密度は、６０％である。人の目は、第三要素５８の色目を、第二要素５６の色目よりも濃いピンクと認識する。
【００５８】
このマーク５２の印刷には、多数の凹部を有する版が用いられる。凹部の面積密度が互いに異なる複数のゾーンを有する版が用いられることで、図８に示されたマーク５２が、容易に印刷されうる。
【００５９】
マーク５２の線数は、１００ＬＰＩ（Line Per Inch）以上が好ましい。線数が１００ＬＰＩ以上であるマーク５２は、ファッション性に優れる。この観点から、線数は１３０ＬＰＩ以上が特に好ましい。線数は、３００ＬＰＩ以下が好ましい。
【００６０】
マーク５２が、赤以外の色目のインクによって形成されてもよい。赤以外の色目として、黄、橙、緑、青、紫、黒、金、銀、ピンク等が例示される。ブランクが、白以外の色目であってもよい。白以外の色目として、黄、ピンク、橙、青、赤及び紫が例示される。ブランクが白以外の色目であるとき、色目が白であるインクによってマーク５２が形成されてもよい。
【産業上の利用可能性】
【００６１】
本発明に係るゴルフボールは、ゴルフコースでのプレイ、ドライビングレンジでのプラクティス等に適している。
【符号の説明】
【００６２】
２・・・ゴルフボール
４・・・本体
６、４６、５２・・・マーク
２０・・・第一要素
２２・・・第二要素
２４・・・第三要素
２６・・・第四要素
２８・・・第五要素
３０・・・第六要素
３２・・・第七要素
３４・・・第八要素
３６、５０・・・網点
３８、４８・・・ブランク
４０・・・版
４２・・・凹部
４４・・・ランド
【図１】
2018038575.tif 000003
【図２】
2018038575.tif 000004
【図３】
2018038575.tif 000005
【図４】
2018038575.tif 000006
【図５】
2018038575.tif 000007
【図６】
2018038575.tif 000008
【図７】
2018038575.tif 000009
【図８】
2018038575.tif 000010